(57)【特許請求の範囲】
【請求項１】
筐体と、
前記筐体内に配置され、第１の周波数帯の信号を輻射する電子部品と、
前記電子部品の少なくとも一部を取り囲み、基準電位部に導通されたケース体と、
前記筐体内に配置され、前記第１の周波数帯に自然数を乗じて得られる第２の周波数帯の信号を送信または受信するアンテナと、
前記ケース体と前記基準電位部との間に接続され、前記ケース体と前記基準電位部の導通状態を遮断する遮断部と、
前記電子部品に接続されて前記電子部品に電圧を印加する電源と、
前記電子部品の動作を前記電源により印加される電圧により制御する制御部と、を有し、
前記遮断部は、前記電源に接続されて、かつ、前記制御部により前記電子部品が動作されると、前記電圧により前記ケース体と前記基準電位部との導通状態を維持可能に構成されると共に、前記制御部により前記電源による前記電子部品への前記電圧の印加が抑制されて前記電子部品の動作が抑制されると、前記ケース体と前記基準電位部との導通状態を遮断可能に構成される、ことを特徴とする携帯端末。
【請求項２】
筐体と、
前記筐体内に配置され、第１の周波数帯の信号を輻射する電子部品と、
前記電子部品の少なくとも一部を取り囲み、基準電位部に導通されたケース体と、
前記筐体内に配置され、前記第１の周波数帯に自然数を乗じて得られる第２の周波数帯の信号を送信または受信するアンテナと、
前記ケース体と前記基準電位部との間に接続され、前記ケース体と前記基準電位部の導通状態を遮断する遮断部と、
前記電子部品の動作状態を検出する検出部と、
前記検出部により前記電子部品が動作していないことが検出されると前記遮断部により前記ケース体と前記基準電位部との導通状態を遮断する制御部と、を有する携帯端末。
【請求項３】
前記電源と前記遮断部との間には、抵抗が接続される、ことを特徴とする請求項１に記載の携帯端末。
【請求項４】
前記電源と前記ケース体との間には、コイルが接続される、ことを特徴とする請求項１または請求項３に記載の携帯端末。
【請求項５】
前記電源と前記ケース体との間には、コンデンサが接続される、ことを特徴とする請求項１または請求項３に記載の携帯端末。
【請求項６】
前記電子部品は、レンズと、コイルと含み、前記コイルに電流が流れることに起因して生じる磁力で前記レンズの焦点を調整可能に構成されるカメラモジュールであり、
前記コイルは、前記電源と前記ケース体との間に接続される、ことを特徴とする請求項１または請求項３に記載の携帯端末。
【請求項７】
前記アンテナは、前記遮断部を介して前記基準電位部に接続されると共に、前記遮断部が、前記電圧によりケース体と前記基準電位部との導通状態を維持するときに逆Ｆアンテナを構成し、前記ケース体と前記基準電位部との導通状態を遮断するときにモノポールアンテナを構成する、ことを特徴とする請求項３乃至請求項６のいずれか一項に記載の携帯端末。
【発明の詳細な説明】
【技術分野】
【０００１】
本発明は、所定の周波数帯の信号を輻射する電子部品を有する携帯端末に関する。
【背景技術】
【０００２】
従来より、携帯電話機等の携帯端末は、カメラのオートフォーカス機構や、クロック信号等のように第１の周波数帯の信号を輻射する電子部品と、第２の周波数帯の信号を送信又は受信するアンテナと、電子部品から輻射される第１の周波数帯の信号を遮断するためのケース体（シールドケース）とを有しているものがある（例えば、特許文献１参照）。
【先行技術文献】
【特許文献】
【０００３】
【特許文献１】特開２００６−２３８２０４号公報
【発明の概要】
【発明が解決しようとする課題】
【０００４】
しかし、このような携帯端末において、ケース体の近傍にアンテナを配置した場合、第１の周波数帯の信号を遮断するためにケース体を基準電位部（グランド）に接続すると、アンテナと基準電位部とが近接することになり、アンテナ特性が劣化してしまう。
【０００５】
そこで、本発明は、基準電位部及び所定の周波数帯の信号によるアンテナ特性の劣化を抑制することができる携帯端末を提供することを目的とする。
【課題を解決するための手段】
【０００６】
本発明に係る携帯端末は、上記課題を解決するために、筐体と、前記筐体内に配置され、第１の周波数帯の信号を輻射する電子部品と、前記電子部品の少なくとも一部を取り囲み、基準電位部に導通されたケース体と、前記筐体内に配置され、前記第１の周波数帯に自然数を乗じて得られる第２の周波数帯の信号を送信または受信するアンテナと、前記ケース体と前記基準電位部との間に接続され、前記ケース体と前記基準電位部の導通状態を遮断する遮断部と、前記電子部品に接続されて前記電子部品に電圧を印加する電源と、前記電子部品の動作を前記電源により印加される電圧により制御する制御部と、を有し、前記遮断部は、前記電源に接続されて、かつ、前記制御部により前記電子部品が動作されると、前記電圧により前記ケース体と前記基準電位部との導通状態を維持可能に構成されると共に、前記制御部により前記電源による前記電子部品への前記電圧の印加が抑制されて前記電子部品の動作が抑制されると、前記ケース体と前記基準電位部との導通状態を遮断可能に構成される、ことを特徴とする。
【０００８】
本発明に係る携帯端末は、上記課題を解決するために、筐体と、前記筐体内に配置され、第１の周波数帯の信号を輻射する電子部品と、前記電子部品の少なくとも一部を取り囲み、基準電位部に導通されたケース体と、前記筐体内に配置され、前記第１の周波数帯に自然数を乗じて得られる第２の周波数帯の信号を送信または受信するアンテナと、前記ケース体と前記基準電位部との間に接続され、前記ケース体と前記基準電位部の導通状態を遮断する遮断部と、前記電子部品の動作状態を検出する検出部と、前記検出部により前記電子部品が動作していないことが検出されると前記遮断部により前記ケース体と前記基準電位部との導通状態を遮断する制御部と、を有する。
【０００９】
また、前記電源と前記遮断部との間には、抵抗が接続される、ことが好ましい。
【００１０】
また、前記電源と前記ケース体との間には、コイルが接続される、ことが好ましい。
【００１１】
また、前記電源と前記ケース体との間には、コンデンサが接続される、ことが好ましい。
【００１２】
また、前記電子部品は、レンズと、コイルと含み、前記コイルに電流が流れることに起因して生じる磁力で前記レンズの焦点を調整可能に構成されるカメラモジュールであり、前記コイルは、前記電源と前記ケース体との間に接続される、ことが好ましい。
【００１３】
また、前記アンテナは、前記遮断部を介して前記基準電位部に接続されると共に、前記遮断部が、前記電圧によりケース体と前記基準電位部との導通状態を維持するときに逆Ｆアンテナを構成し、前記ケース体と前記基準電位部との導通状態を遮断するときにモノポールアンテナを構成する、ことが好ましい。
【発明の効果】
【００１４】
本発明によれば、基準電位部及び所定の周波数帯の信号によるアンテナ特性の劣化を抑制することができる携帯端末を提供することができる。
【図面の簡単な説明】
【００１５】
【図１】本発明に係る携帯端末の一例である携帯電話機の外観斜視図である。
【図２】携帯電話機の機能を示す機能ブロック図である。
【図３】第１実施形態の携帯電話機におけるカメラモジュールから輻射される第１の周波数帯の信号を遮断するための等価回路の構成例について示す回路図である。
【図４】図３（ａ）に示す等価回路において直流電圧を制御するための構成例を示す回路図である。
【図５】図３（ａ）に示す等価回路において直流電圧を制御するための構成例を示す回路図である。
【図６】カメラモジュールにおけるオートフォーカス機構について示す図である。
【図７】第２実施形態の携帯電話機におけるカメラモジュールから輻射される第１の周波数帯の信号を遮断するための等価回路の構成例について示す回路図である。
【図８】図７（ａ）に示す回路図の具体的な構成について示す図である。
【図９】第３実施形態の携帯電話機において、シールドケースとグランドとの導通及び遮断状態に応じて、アンテナの構成を切り替える等価回路の構成例について示す回路図である。
【図１０】アンテナの構成について示す図である。
【図１１】図９に示す等価回路の具体的な構成例について模式的に示す図である。
【発明を実施するための形態】
【００１６】
以下、本発明の実施の形態について説明する。図１は、本発明に係る携帯端末の一例である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でもよい。
【００１７】
携帯電話機１は、操作部側筐体２（筐体）と、表示部側筐体３と、を備える。操作部側筐体２は、表面部に、操作部１１と、携帯電話機１の使用者が通話時に発した音声が入力されるマイク１２と、を備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００１８】
また、表示部側筐体３は、表面部に、各種情報を表示するための表示部２１と、通話の相手側の音声を出力するスピーカ２２と、を備える。
【００１９】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２０】
図２は、携帯電話機１の機能を示す機能ブロック図である。携帯電話機１は、図２に示すように、操作部１１と、マイク１２と、表示部２１と、スピーカ２２と、ドライバＩＣ２３と、アンテナ４０（アンテナ）と、ＲＦ通信処理部４１と、表示制御部４２と、音声処理部４３と、メモリ４４と、カメラモジュール４６（電子部品）と、シールドケース４７（ケース体）と、電源制御回路部４８と、ＣＰＵ４９（検出部、制御部）と、充電池５１と、を備える。
【００２１】
表示部２１は、ＬＣＤ（Ｌｉｑｕｉｄ  Ｃｒｙｓｔａｌ  Ｄｉｓｐｌａｙ）や有機ＥＬ（Ｅｌｅｃｔｏｒｏ  Ｌｕｍｉｎｅｓｃｅｎｃｅ）によって構成され、データファイルの画像やデータファイルのサムネイル等の各種情報に基づく画像や動画等を表示する。
【００２２】
アンテナ４０は、所定の周波数帯（第２の周波数帯）（例えば、８００ＭＨｚ）で基地局等と通信を行う。なお、本実施の形態では、所定の周波数帯として、８００ＭＨｚとしたが、これ以外の周波数帯であってもよい。
【００２３】
ＲＦ通信処理部４１は、アンテナ４０によって受信した信号を復調処理し、処理後の信号をＣＰＵ４９に供給する。また、ＲＦ通信処理部４１は、ＣＰＵ４９から供給された信号を変調処理し、アンテナ４０を介して外部装置（基地局）に送信する。また、その一方で、ＲＦ通信処理部４１は、アンテナ４０によって受信している信号の強度をＣＰＵ４９に通知を行う。
【００２４】
表示制御部４２は、ＣＰＵ４９の制御に従って、所定の画像処理を行い、処理後の画像データをドライバＩＣ２３に出力する。ドライバＩＣ２３は、表示制御部４２から供給された画像データをフレームメモリに蓄え、所定のタイミングで表示部２１に出力する。
【００２５】
音声処理部４３は、ＣＰＵ４９の制御に従って、ＲＦ通信処理部４１から供給された信号に対して所定の音声処理（例えば、アナログ変換）を行い、処理後の信号をスピーカ２２に出力する。スピーカ２２は、音声処理部４３から供給された信号を外部に出力する。
【００２６】
また、音声処理部４３は、ＣＰＵ４９の制御に従って、マイク１２から入力された信号を処理（例えば、デジタル変換）し、処理後の信号をＲＦ通信処理部４１に出力する。
【００２７】
メモリ４４は、例えば、ワーキングメモリを含み、ＣＰＵ４９による演算処理に利用される。また、メモリ４４には、各種データファイルや、複数のアプリケーションや、当該アプリケーションが必要とする各種のテーブルや、各種情報等が記憶されている。また、メモリ４４は、着脱可能な外部メモリを兼ねていてもよい。
【００２８】
カメラモジュール４６は、操作部側筐体２の内部に配置され、被写体を撮像するためのレンズＬＥ（図６（ｂ）参照）と、コイルＬ１（図６（ｂ）参照）及び磁石を有するレンズ駆動部と、撮像素子とを含んで構成される。また、レンズＬＥ及びレンズ駆動部は、後述するオートフォーカス機構４６ａ（図８参照）を構成する。カメラモジュール４６は、コイルＬ１に電流が流れることに起因して生じる磁力でレンズの焦点を調整可能に構成される。また、カメラモジュール４６は、クロック信号（第１の周波数帯の信号）に同期して動作するため、動作状態においてはクロック信号及びその高調波信号（第１の周波数帯に自然数を乗じて得られる第２の周波数帯）が輻射される。
【００２９】
シールドケース４７は、カメラモジュール４６の少なくとも一部を取り囲み、後述するグランド（基準電位部（ＧＮＤ））に導通される。具体的には、シールドケース４７は、レンズや配線等の外部に露出する部位を除き、カメラモジュール４６の周囲を取り囲んでいる。シールドケース４７は、カメラモジュール４６から輻射されるクロック信号及びその高調波信号を遮断する。
【００３０】
電源制御回路部４８は、充電池５１が接続されており、充電池５１から供給される電源電圧を所定の電源電圧に変換し、変換後の電源電圧を携帯電話機１の各部に供給する。
【００３１】
ＣＰＵ４９は、携帯電話機１の全体を制御する。ＣＰＵ４９の具体的な動作については後述する。
【００３２】
ここで、上述したように、カメラモジュール４６は、動作中にクロック信号及びその高調波信号を輻射される。この高周波信号の周波数帯である第１の周波数帯に自然数ｎ（ｎ≧１）を乗じた値が、アンテナ４０の周波数帯である第２の周波数帯と略一致する場合、つまり、第１の周波数帯の高調波と第２の周波数帯とが略一致する場合に、アンテナ４０とカメラモジュール４６とを近接配置すると、カメラモジュール４６から輻射される第２の周波数帯の信号によりアンテナ４０のアンテナ感度が劣化してしまう。
【００３３】
そこで、第１実施形態の携帯電話機１は、シールドケース４７によりカメラモジュール４６から輻射される第２の周波数帯の信号を遮断している。シールドケース４７は、第２の周波数帯の信号を遮断するためにグランドと電気的に接続する必要がある。しかし、アンテナ４０と、グランドと電気的に接続されたシールドケース４７とを近接配置した場合、グランドとアンテナ４０とが近接することによりアンテナ４０のアンテナ特性が劣化してしまう場合があった。
【００３４】
次に、第１実施形態の携帯電話機１において、カメラモジュール４６から輻射されるクロック信号及びその高調波信号を遮断するための具体的な回路の構成について説明する。
【００３５】
図３（ａ）から（ｃ）は、第１実施形態の携帯電話機１におけるカメラモジュール４６から輻射されるクロック信号及びその高調波信号を遮断するための等価回路の構成例について示す回路図である。図３（ａ）から（ｃ）に示すように、携帯電話機１は、カメラモジュール４６と、シールドケース４７と、ＣＰＵ４９と、直流電源Ｖｄと、抵抗Ｒ１と、ダイオードＤ１，Ｄ２と、基準電位部としてのグランド（ＧＮＤ）と、を備える。
【００３６】
カメラモジュール４６には、直流電源Ｖｄが電気的に接続される。
シールドケース４７とグランドとの間には、ダイオードＤ１、またはダイオードＤ２がそれぞれ電気的に接続される。なお、シールドケース４７のグランドと電気的に接続される部位同士の位置は、互いに離間していることが好ましい。これにより、シールドケース４７をより好適に接地することができる。
【００３７】
ダイオードＤ１，Ｄ２は、一定値以上の直流電圧が印加されると、電気的に導通状態となり、印加された直流電圧に応じた直流電流が流れる。以下、ダイオードＤ１，Ｄ２が電気的に導通状態となり、印加された直流電圧に応じた直流電流が流れる状態をＯＮ状態といい、ダイオードＤ１，Ｄ２が遮断された状態をＯＦＦ状態という。
【００３８】
ＣＰＵ４９は、直流電源Ｖｄと電気的に接続され、カメラモジュール４６の動作状態を検出する。そして、ＣＰＵ４９は、直流電源Ｖｄにより印加される電圧によりカメラモジュール４６の動作を制御する。
【００３９】
直流電源Ｖｄは、ＣＰＵ４９の制御に従って、直流電圧を印加する。具体的には、直流電源Ｖｄは、カメラモジュール４６及びシールドケース４７と電気的に接続し、カメラモジュール４６及びシールドケース４７に直流電圧を印加する。直流電源Ｖｄにより印加される電圧値は、カメラモジュール４６の動作（例えば、カメラモジュール４６の電源ＯＮ／ＯＦＦ）に対応した値である。
【００４０】
直流電源Ｖｄとカメラモジュール４６は、互いに接続される。
また、直流電源Ｖｄとシールドケース４７との間には抵抗Ｒ１が接続されているため、直流電源ＶｄとダイオードＤ１，Ｄ２との間には、抵抗Ｒ１が電気的に接続されているともいえる。抵抗Ｒ１は、直流電源ＶｄからダイオードＤ１，Ｄ２に大きな電流が流れることを防ぐために設けられている。
【００４１】
また、直流電源Ｖｄは、ダイオードＤ１，Ｄ２をＯＮ状態にするためにはダイオードＤ１，Ｄ２に対して、一定値以上の電圧を印加する必要がある。このため、抵抗Ｒ１の抵抗値は、直流電源Ｖｄにより印加される電圧及びダイオードＤ１，Ｄ２に流れる電流値を考慮して、直流電源Ｖｄにより電圧が印加された際に、ダイオードＤ１，Ｄ２に印加される電圧が一定値以上になるように決定される。
【００４２】
ここで、図３（ａ）に示す等価回路の動作について説明する。
まず、ＣＰＵ４９によりカメラモジュール４６が起動される（つまり、直流電源Ｖｄにより直流電圧が印加されてカメラモジュール４６の電源ＯＮ）と、つまり、カメラモジュール４６が動作していることが検出されると、直流電源Ｖｄは、抵抗Ｒ及びシールドケース４７を介してダイオードＤ１，Ｄ２に直流電圧を印加する。
【００４３】
ＣＰＵ４９により、直流電源Ｖｄにより直流電圧が印加されてカメラモジュール４６が動作されると、ダイオードＤ１、Ｄ２は、一定値以上の直流電圧が印加されてＯＮ状態となり、印加された電圧に応じて直流電流が流れて、シールドケース４７とグランドとを電気的に導通状態を維持することが可能となる。つまり、ダイオードＤ１，Ｄ２によりシールドケース４７とグランドとが電気的に導通状態となる。
【００４４】
シールドケース４７とグランドとが電気的に導通状態となることにより、カメラモジュール４６から輻射されるクロック信号及びその高調波信号は、シールドケース４７及びダイオードＤ１，Ｄ２を介して、グランドに誘導される。ここで、一般的に、グランドに接続されたシールドケース４７がアンテナ４０に近接することによるアンテナ４０に対する影響よりも、カメラモジュール４６から輻射されるクロック信号及びその高調波信号によるアンテナ感度劣化のほうが大きい場合が多い。これは、ノイズの元となるクロック信号のレベルが高く、したがってその高調波信号のレベルも高くなることが原因である。それに対して本実施形態においては、カメラモジュール４６から輻射されるクロック信号及びその高調波信号がグランドに誘導されることにより、携帯電話機１は、カメラモジュール４６から輻射されるクロック信号及びその高調波信号によるアンテナ４０のアンテナ感度の劣化を抑制することができる。
【００４５】
一方、ＣＰＵ４９によりカメラモジュール４６の動作が終了されると、つまり、カメラモジュール４６が動作していないことが検出されると、直流電源Ｖｄは、シールドケース４７を介してダイオードＤ１，Ｄ２に直流電圧を抑制する。
【００４６】
ダイオードＤ１，Ｄ２は、ＣＰＵ４９により直流電源Ｖｄによるカメラモジュール４６への電圧の印加が抑制されてカメラモジュール４６の動作が抑制されると、ＯＦＦ状態となり、直流電流が流れず、シールドケース４７とグランドとの導通状態を電気的に遮断することが可能となる。つまり、ダイオードＤ１，Ｄ２によりシールドケース４７とグランドとが電気的に遮断された状態となる。これにより、シールドケース４７とグランドとが電気的に遮断された状態となるため、携帯電話機１は、アンテナ４０と、グランドに接続されたシールドケース４７とが近接することによるアンテナ特性の劣化を抑制することができる。
【００４７】
図３（ｂ）は、図３（ａ）に示す等価回路の変形例を示す回路図である。
図３（ａ）では、直流電源Ｖｄは、シールドケース４７を介して間接的にダイオードＤ１，Ｄ２と接続していたが、図３（ｂ）に示す等価回路では、直流電源ＶｄとダイオードＤ１，Ｄ２との間に配線が電気的に設けられ、直流電源Ｖｄは、この配線により直接的にダイオードＤ１，Ｄ２と接続している。
【００４８】
図３（ｂ）に示す等価回路によれば、携帯電話機１は、直流電源Ｖｄは、配線により直接的にダイオードＤ１，Ｄ２と接続しているため、図３（ａ）に示す等価回路と同様の作用効果を奏すると共に、シールドケース４７、直流電源Ｖｄ及びダイオードＤ１，Ｄ２の配置の自由度が向上し、シールドケース４７、直流電源Ｖｄ及びダイオードＤ１，Ｄ２が実装される基板やカメラモジュール４６等の小型化を図ることができる。
【００４９】
図３（ｃ）は、図３（ｂ）に示す等価回路の変形例を示す回路図である。
図３（ｃ）に示す等価回路では、抵抗Ｒ１とシールドケース４７との間、つまり、直流電源Ｖｄとシールドケース４７との間にそれぞれコンデンサＣ１，Ｃ２が電気的に接続されている。
【００５０】
ここで、第１の周波数帯や第２の周波数帯において、コンデンサＣ１，Ｃ２の容量値を、コンデンサＣ１，Ｃ２のインピーダンスが低い値となるように選択することにより、シールドケース４７は、ダイオードＤ１，Ｄ２が導通状態となった場合に、コンデンサＣ１，Ｃ２を介して接地されている場合と電気的に等価となる。
【００５１】
図３（ａ）及び図３（ｂ）に示す等価回路では、直流電源Ｖｄによりシールドケース４７に直接的に直流電圧を印加している。
【００５２】
一方、図３（ｃ）に示す等価回路では、直流電源Ｖｄは、シールドケース４７に直流的に接続されていない。つまり、シールドケース４７が他の基板や電子部品と接触した場合であっても、直流電圧は、コンデンサＣ１，Ｃ２により遮断される。したがって、直流電源Ｖｄが他の基板や電子部品にも印加されないため、他の電子部品への悪影響を抑制することができる。
【００５３】
図４（ａ）から（ｃ）は、図３（ａ）に示す等価回路において直流電圧を制御するための構成例を示す回路図である。
図４（ａ）から（ｃ）に示す等価回路では、カメラモジュール４６及びシールドケース４７に印加される電圧は、ＣＰＵ４９により制御される。
【００５４】
図４（ａ）から（ｃ）に示す等価回路では、直流電源Ｖｄとして、電源回路６０及び電源回路６１が用いられる。電源回路６０及び電源回路６１は、電源制御回路部４８（図２参照）を構成し、充電池５１から電圧が供給される。電源回路６０及び電源回路６１は、ＣＰＵ４９と接続され、ＣＰＵ４９からの制御信号を受け付ける。
【００５５】
電源回路６０は、シールドケース４７と電気的に接続される。電源回路６０とシールドケース４７との間には、抵抗Ｒ１が電気的に接続される。電源回路６１は、カメラモジュール４６と電気的に接続される。
【００５６】
図４（ａ）の等価回路では、ＣＰＵ４９は、電源回路６１を制御してカメラモジュールを起動すると（ひいてはカメラモジュールの動作状態を検出すると）、電源回路を制御して、電源回路６０により直流電圧Ｖ１を出力させる。つまり、ＣＰＵ４９は、カメラモジュール４６が起動すると、電源回路６０及び電源回路６１により互いに連動した直流電圧Ｖ１及びＶ２を出力させる。
【００５７】
そして、ダイオードＤ１，Ｄ２は、シールドケース４７を介して直流電圧Ｖ１が印加されることにより、ＯＮ状態となる。これにより、シールドケース４７とグランドとは、電気的に導通状態となる。また、カメラモジュール４６は、直流電圧Ｖ２によって動作する。このように構成されることにより、携帯電話機１は、ＣＰＵ４９の制御によりシールドケース４７とグランドとを、電気的に導通状態とすることができる。
【００５８】
一方、ＣＰＵ４９は、カメラモジュール４６が動作しない（カメラモジュール４６の電源ＯＦＦ）状態では、電源回路６０及び電源回路６１により直流電圧Ｖ１及びＶ２を出力させない。
【００５９】
そして、ダイオードＤ１，Ｄ２は、シールドケース４７を介して直流電圧Ｖ１が印加されないため、ＯＦＦ状態となる。これにより、シールドケース４７とグランドとの導通状態は、遮断される。このように構成されることにより、携帯電話機１は、カメラモジュール４６及びシールドケース４７に印加される電圧を、ＣＰＵ４９により制御することができる。
【００６０】
図４（ｂ）及び（ｃ）は、図４（ａ）の等価回路におけるダイオードＤ１，Ｄ２に代えて、トランジスタスイッチＴｒ１を用いた場合の構成例を示す回路図である。
図４（ｂ）に示す等価回路では、トランジスタスイッチＴｒ１のコレクタ側は、シールドケース４７と電気的に接続され、ベース側は、抵抗Ｒ２を介して、電源回路６０と抵抗Ｒ１との間に電気的に接続され、エミッタ側は、グランドと接続される。
【００６１】
図４（ｃ）に示す等価回路では、トランジスタスイッチＴｒ１のコレクタ側は、シールドケース４７と電気的に接続され、ベース側は、抵抗Ｒ２を介して、電源回路６０と電気的に接続され、エミッタ側は、グランドと接続される。また、抵抗Ｒ１の一端は、電源回路６１とカメラモジュール４６との間に接続され、抵抗Ｒ１の他端は、シールドケース４７と接続される。
【００６２】
このように構成されることにより、図４（ｂ）及び（ｃ）に示す等価回路では、トランジスタスイッチＴｒ１を用いて、図４（ａ）の等価回路におけるダイオードＤ１，Ｄ２と同様の作用効果を奏することができる。
【００６３】
図５（ａ）及び（ｂ）は、図３（ａ）に示す等価回路において直流電圧を制御するための構成例を示す回路図である。
図５（ａ）及び（ｂ）に示す等価回路では、ＣＰＵ４９による制御に代えて、電子部品（抵抗）により直流電圧を制御する。
【００６４】
図５（ａ）に示す等価回路では、直流電源Ｖｄとしての電源回路６２は、カメラモジュール４６と電気的に接続される。電源回路６２は、ＣＰＵ４９と接続され、制御信号を受け付ける。また、抵抗Ｒ１は、一端が電源回路６２とカメラモジュール４６との間に電気的に接続され、他端がシールドケース４７と電気的に接続される。
【００６５】
図５（ｂ）は、図５（ａ）の等価回路におけるダイオードＤ１，Ｄ２に代えて、トランジスタスイッチＴｒ１を用いた場合の構成例を示す等価回路である。
図５（ｂ）に示す等価回路では、トランジスタスイッチＴｒ１のコレクタ側は、シールドケース４７と電気的に接続され、ベース側は、抵抗Ｒ２を介して、電源回路６２と電気的に接続され、エミッタ側は、グランドと接続される。また、抵抗Ｒ１は、一端が抵抗Ｒ２と電源回路６２との間に接続され、他端がシールドケース４７との間に接続される。
【００６６】
そして、図５（ａ）及び（ｂ）に示す等価回路では、例えば、カメラモジュール４６を起動するために、電源回路６２は、ＣＰＵ４９からの制御信号に従い、直流電圧Ｖ３を印加する。そして、抵抗Ｒ１の抵抗値を適宜選択することにより、シールドケース４７を介してダイオードＤ１，Ｄ２、またはトランジスタスイッチＴｒ１をＯＮ状態にするために適切な直流電圧を得ることができる。
【００６７】
一方、カメラモジュール４６が動作しない（カメラモジュール４６の電源ＯＦＦ）状態では、電源回路６２により直流電圧Ｖ３を出力させない。そして、ダイオードＤ１，Ｄ２、またはトランジスタスイッチＴｒ１は、シールドケース４７を介して直流電圧Ｖ３が印加されないため、ＯＦＦ状態となる。これにより、シールドケース４７とグランドとの導通状態は、遮断される。このように構成されることにより、携帯電話機１は、抵抗Ｒ１により直流電圧を制御することができる。
【００６８】
以上説明したように、第１実施形態の携帯電話機１は、表示部側筐体３内に配置され、直流電源Ｖｄを輻射するカメラモジュール４６と、カメラモジュール４６の少なくとも一部を取り囲み、グランドに導通されたシールドケース４７と、表示部側筐体３内に配置され、第１の周波数帯に自然数を乗じて得られる第２の周波数帯の信号を送信または受信するアンテナ４０と、シールドケース４７とグランドとの間に接続され、シールドケース４７とグランドの導通状態を遮断するダイオードＤ１，Ｄ２と、を有する。
【００６９】
これにより、携帯電話機１は、ダイオードＤ１，Ｄ２によりシールドケース４７とグランドの導通状態が遮断されるため、シールドケース４７がグランドに接続されることに起因するアンテナ４０のアンテナ特性の劣化が抑制される。
【００７０】
また、第１実施形態の携帯電話機１において、ＣＰＵ４９は、カメラモジュール４６の動作状態を検出し、カメラモジュール４６が動作していないことが検出されるとダイオードＤ１，Ｄ２によりシールドケース４７とグランドとの導通状態を遮断する。
【００７１】
これにより、携帯電話機１は、カメラモジュール４６が動作していない状態、すなわち、クロック信号及びその高調波信号がカメラモジュール４６により輻射されていない状態においてダイオードＤ１，Ｄ２によりシールドケース４７とグランドとの導通状態が遮断される。したがって、携帯電話機１は、カメラモジュール４６により輻射されるクロック信号及びその高調波信号に起因するアンテナ４０のアンテナ感度の劣化を抑制しつつ、グランドに電気的に接続されたシールドケース４７に起因するアンテナ４０のアンテナ特性の劣化が抑制される。
【００７２】
また、第１実施形態の携帯電話機１において、ＣＰＵ４９によりカメラモジュール４６が動作されると、ダイオードＤ１，Ｄ２は、直流電源Ｖｄにより直流電圧が印加されるので、直流電圧によりシールドケース４７とグランドとの導通状態を維持可能に構成されると共に、ＣＰＵ４９により直流電源Ｖｄによるカメラモジュール４６への直流電圧の印加が抑制されてカメラモジュール４６の動作が抑制されると、シールドケース４７とグランドとの導通状態を遮断可能に構成される。
【００７３】
これにより、携帯電話機１は、直流電源Ｖｄの直流電圧によりカメラモジュール４６が動作している状態、すなわち、クロック信号及びその高調波信号がカメラモジュール４６により輻射されている状態において、シールドケース４７とグランドの導通状態が維持され、直流電源Ｖｄの直流電圧によりカメラモジュール４６が動作していない状態、すなわち、クロック信号及びその高調波信号がカメラモジュール４６により輻射されていない状態において、ダイオードＤ１，Ｄ２によりシールドケース４７とグランドの導通状態が遮断される。したがって、携帯電話機１は、ダイオードＤ１，Ｄ２への特殊な制御なしに、カメラモジュール４６により輻射されるクロック信号及びその高調波信号に起因するアンテナ４０のアンテナ感度の劣化を抑制しつつ、グランドに電気的に接続されたシールドケース４７に起因するアンテナ４０のアンテナ特性の劣化を抑制することができる。
【００７４】
また、第１実施形態の携帯電話機１において、直流電源ＶｄとダイオードＤ１，Ｄ２との間には、抵抗Ｒ１が接続される。これにより、携帯電話機１は、抵抗Ｒ１の抵抗値に応じて、ダイオードＤ１，Ｄ２への過電流が抑制されると共に、ダイオードＤ１，Ｄ２に印加される直流電圧の適正化を図ることができる。
【００７５】
＜第２実施形態＞
次に、本発明の第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。第２実施形態の携帯電話機１は、カメラモジュール４６におけるオートフォーカス機構について説明する点が第１実施形態とは主として異なる。
【００７６】
図６は、カメラモジュール４６におけるオートフォーカス機構４６ａについて示す図である。詳細には、図６（ａ）は、カメラモジュール４６におけるオートフォーカス機構４６ａの電気的な構成について示す回路図であり、図６（ｂ）は、オートフォーカス機構４６ａの具体的な構成について示す模式図である。
【００７７】
オートフォーカス機構４６ａは、ＣＰＵ４９の制御に応じてレンズの位置を変動させ、被写体に対して自動的に焦点を合わせる機能を有する。図６（ｂ）に示すように、オートフォーカス機構４６ａは、レンズＬＥの位置を変動させるためにソレノイドコイルであるコイルＬ１を用いている。
【００７８】
コイルＬ１は、レンズＬＥを含むケースに複数回巻かれている。また、コイルＬ１の周囲には、磁石ＭがコイルＬ１と近接して配置されている。
【００７９】
図６（ａ）に示すように、カメラモジュール４６は、バイポーラトランジスタにより構成されるトランジスタスイッチＴｒ２と、コイルＬ１とを有する。なお、図６ではバイポーラトランジスタだが、ＦＥＴ等の他の手段により代替することが可能である。
【００８０】
オートフォーカス機構４６ａは、ＣＰＵ４９から出力される制御信号によりトランジスタスイッチＴｒ２がＯＮ状態となると、コイルＬ１に電流が流れる。このとき、コイルＬ１と磁石Ｍとは電磁石を構成する。そして、オートフォーカス機構４６ａは、この電磁石の磁力によりレンズＬＥを方向Ｄ（図６（ｂ）参照）に移動させることで、レンズＬＥの位置を変動させる。
【００８１】
図７（ａ）から（ｃ）は、第２実施形態の携帯電話機１におけるカメラモジュール４６から輻射されるクロック信号及びその高調波信号を遮断するための等価回路の構成例について示す回路図である。なお、図７（ａ）は、図３（ａ）に対応し、図７（ｂ）は、図３（ｂ）に対応し、図７（ｃ）は、図３（ｃ）に対応している。
【００８２】
図７（ａ）から（ｃ）に示すように、第２実施形態の携帯電話機１は、カメラモジュール４６において、トランジスタスイッチＴｒ２と、コイルＬ１とを有する点が第１実施形態とは異なる。なお、第２実施形態の携帯電話機１における図７（ａ）から（ｃ）の回路図の構成は、第１実施形態の携帯電話機１における図３（ａ）から（ｃ）の回路図の構成とトランジスタスイッチＴｒ２及びコイルＬ１を除き、同様の構成であるため、説明を省略する。
【００８３】
図７（ａ）から（ｃ）に示すように、直流電源Ｖｄとシールドケース４７との間には、トランジスタスイッチＴｒ２及びコイルＬ１が電気的に接続されている。
【００８４】
トランジスタスイッチＴｒ２は、コレクタ側に直流電源Ｖｄが接続され、ベース側にＣＰＵ４９が接続され、エミッタ側にコイルＬ１が接続される。コイルＬ１は、一端がトランジスタスイッチＴｒ２のエミッタ側に接続され、他端がシールドケース４７と接続される。なお、トランジスタスイッチＴｒ２のコレクタに接続する電源は直流電源Ｖｄとは異なる電源であってもよい。
【００８５】
図８は、図７（ａ）に示す回路図の具体的な構成について示す図である。図８に示すように、カメラモジュール４６は、このカメラモジュール４６の周囲を取り囲むシールドケース４７の内部に配置され、オートフォーカス機構４６ａと、カメラ部４６ｂとを含んで構成される。オートフォーカス機構４６ａは、トランジスタスイッチＴｒ２と、コイルＬ１とを含んで構成される。また、ダイオードＤ１，Ｄ２は、カメラモジュール４６の周囲を取り囲むシールドケース４７の内部に配置されている。
【００８６】
第１実施形態の図３（ａ）から（ｃ）に示す等価回路では、カメラモジュール４６の動作に対応した直流電源ＶｄによりダイオードＤ１，Ｄ２の導通状態及び非導通状態を切り替えている。このため、シールドケース４７により遮蔽されたクロック信号及びその高調波信号は、全てがシールドケース４７及びダイオードＤ１，Ｄ２を介してグランドに流れず、その一部が直流電源Ｖｄ側の配線に回り込み、輻射したクロック信号及びその高調波信号によるノイズの増大や再輻射、カメラモジュール４６の誤作動等を招くおそれがある。
【００８７】
一方、第２実施形態における図７（ａ）から（ｃ）に示す等価回路では、シールドケース４７とトランジスタスイッチＴｒ２との間にコイルＬ１が配置されているため、コイルＬ１の高周波遮断特性により、輻射したクロック信号及びその高調波信号が遮断される。したがって、クロック信号及びその高調波信号が直流電源Ｖｄ側の配線に回り込むことを抑制することができる。
【００８８】
また、第２実施形態の携帯電話機１において、カメラモジュール４６は、レンズＬＥと、コイルＬ１とを含み、コイルＬ１に電流が流れることに起因して生じる磁力でレンズＬＥの焦点を調整可能に構成される。そして、コイルＬ１は、直流電源Ｖｄとシールドケース４７との間に接続される。これにより、携帯電話機１は、コイルＬ１の高周波遮断特性により、輻射したクロック信号及びその高調波信号が遮断される。したがって、携帯電話機１は、カメラモジュール４６により輻射されるクロック信号及びその高調波信号がシールドケース４７を介して直流電源Ｖｄに回り込むことによる再輻射カメラモジュール４６の誤動作を抑制することができる。
【００８９】
＜第３実施形態＞
次に、本発明の第３実施形態について説明する。第３実施形態については、主として、第１及び第２実施形態とは異なる点を説明し、第１及び第２実施形態と同様の構成について同一符号を付し、説明を省略する。第３実施形態について特に説明しない点については、第１及び第２実施形態についての説明が適宜適用される。第３実施形態の携帯電話機１は、シールドケース４７とグランドとの導通及び遮断状態に応じて、アンテナ４０の構成を切り替える点が第１実施形態とは主として異なる。
【００９０】
図９（ａ）及び（ｂ）は、第３実施形態の携帯電話機１において、シールドケース４７とグランドとの導通及び遮断状態に応じて、アンテナ４０の構成を切り替える等価回路の構成例について示す回路図である。
【００９１】
図９（ａ）に示す等価回路では、携帯電話機１は、カメラモジュール４６と、シールドケース４７と、直流電源Ｖｄと、抵抗Ｒ１と、ダイオードＤ３，Ｄ４と、アンテナ４０と、コンデンサＣ３と、給電部５３と、回路部５４とを有する。
【００９２】
カメラモジュール４６、シールドケース４７、直流電源Ｖｄ及び抵抗Ｒ１は、第１及び第２実施形態と同様の構成であるため説明を省略する。
【００９３】
ダイオードＤ３，Ｄ４は、シールドケース４７とグランドとの間に直列に接続される。
アンテナ４０は、ダイオードＤ３とダイオードＤ４との間に電気的に接続される。
【００９４】
コンデンサＣ３は、一端がダイオードＤ３とダイオードＤ４との間に電気的に接続され、他端がアンテナ４０と電気的に接続される。これは、ダイオードＤ３、Ｄ４のＯＮ時に、印加された直流電圧がアンテナ４０や給電部５３、回路部５４へ印加されないようにするためのものであるため、コンデンサＣ３は、アンテナ４０のマッチング回路内に含まれていてもよい。本実施形態においては、コンデンサＣ３の容量値は、クロック信号及びその高調波信号においてコンデンサＣ３のインピーダンスが低い値となるように選択する。
【００９５】
給電部５３は、一端がアンテナ４０と電気的に接続され、他端が回路部５４と電気的に接続される。給電部５３は、アンテナ４０へ給電し、アンテナ４０から給電される。
【００９６】
回路部５４は、通信処理部４１等の各種の回路を含んで構成され、給電部５３と電気的に接続される。
【００９７】
次に、図９（ａ）に示す等価回路の動作について説明する。まず、シールドケース４７によりクロック信号及びその高調波信号を遮断する場合には、ＣＰＵ４９は、直流電源Ｖｄにより直流電圧を印加して、ダイオードＤ３，Ｄ４をＯＮ状態にする。
【００９８】
この場合、アンテナ４０の一端が、コンデンサＣ３及びＤ３を介してグランドに接地されると共に、ダイオードＤ３，Ｄ４が、印加された直流電圧によりシールドケース４７とグランドとの導通状態を維持するよう構成される際、アンテナ４０は、逆Ｆアンテナを構成する。つまり、図１０（ａ）に示すように、直流電源Ｖｄにより直流電圧が印加されて、ダイオードＤ３，Ｄ４がＯＮ状態になると、アンテナ４０、給電部５３及びグランドは、逆Ｆアンテナを構成する。
【００９９】
逆Ｆアンテナは、グランドを用いる構成であるため、グランドからの影響を受けにくく、シールドケース４７がグランドに接地されていても、アンテナ特性を維持することができる。
【０１００】
一方、シールドケース４７によりクロック信号及びその高調波信号を遮断しない場合には、ＣＰＵ４９は、直流電源Ｖｄによる直流電圧の印加を抑制して、ダイオードＤ３，Ｄ４をＯＦＦ状態にする。
【０１０１】
この場合、ダイオードＤ３，Ｄ４は、シールドケース４７とグランドとの導通状態を遮断すると共に、アンテナ４０とグランドとは導通しない。このように、アンテナ４０は、シールドケース４７とグランドとの導通状態を遮断するときにモノポールアンテナを構成する。つまり、図１０（ｂ）に示すように、直流電源Ｖｄにより直流電圧の印加が抑制されて、ダイオードＤ３，Ｄ４がＯＦＦ状態になると、アンテナ４０及び給電部５３は、モノポールアンテナを構成する。
【０１０２】
このとき、カメラモジュール４６は、動作していないため、シールドケース４７とグランドとの導通状態が遮断されていても、カメラモジュール４６によりクロック信号及びその高調波信号が輻射されることはない。また、モノポールアンテナは、グランドと近接配置すると、アンテナ特性が劣化する。しかし、第３実施形態のモノポールアンテナでは、シールドケース４７とグランドとの導通状態が遮断されているため、グランドと近接配置しても、アンテナ特性を維持することができる。
【０１０３】
図９（ｂ）は、シールドケース４７とグランドとの導通及び遮断状態に応じて、２つのアンテナ４０ａ，４０ｂの構成を切り替える具体例について示す回路図である。
【０１０４】
図９（ｂ）に示す等価回路では、携帯電話機１は、カメラモジュール４６と、シールドケース４７と、直流電源Ｖｄと、抵抗Ｒ１と、ダイオードＤ３，Ｄ４，Ｄ５，Ｄ６と、アンテナ４０ａ，４０ｂと、コンデンサＣ３，Ｃ４と、給電部５３ａ，５３ｂと、回路部５４ａ，５４ｂとを有する。
【０１０５】
図９（ｂ）に示す等価回路でも図９（ａ）に示す等価回路と同様に、シールドケース４７によりクロック信号及びその高調波信号を遮断する場合には、ＣＰＵ４９は、直流電源Ｖｄにより直流電圧を印加して、ダイオードＤ３，Ｄ４，Ｄ５，Ｄ６をＯＮ状態にする。
【０１０６】
この場合、アンテナ４０ａの一端が、コンデンサＣ３およびダイオードＤ４を介してグランドに接地されると共に、ダイオードＤ３，Ｄ４は、印加された直流電圧によりシールドケース４７とグランドとの導通状態を維持するよう構成される際、アンテナ４０ａは、逆Ｆアンテナを構成する。また、アンテナ４０ｂの一端がコンデンサＣ４およびダイオードＤ６を介してグランドに接地されると共に、ダイオードＤ５，Ｄ６は、印加された直流電圧によりシールドケース４７とグランドとの導通状態を維持するよう構成される際、アンテナ４０ｂは、逆Ｆアンテナを構成する。
【０１０７】
つまり、図１０（ａ）に示すように、直流電源Ｖｄにより直流電圧が印加されて、ダイオードＤ３，Ｄ４，Ｄ５，Ｄ６がＯＮ状態になると、アンテナ４０ａ、給電部５３ａ及びグランドは、逆Ｆアンテナを構成し、かつ、アンテナ４０ｂ、給電部５３ｂ及びグランドは、逆Ｆアンテナを構成する。
【０１０８】
一方、シールドケース４７によりクロック信号及びその高調波信号を遮断しない場合には、ＣＰＵ４９は、直流電源Ｖｄによる直流電圧の印加を抑制して、ダイオードＤ３，Ｄ４，Ｄ５，Ｄ６をＯＦＦ状態にする。
【０１０９】
この場合、ダイオードＤ３，Ｄ４は、シールドケース４７とグランドとの導通状態を遮断すると共に、アンテナ４０ａとグランドとの導通を遮断する。また、ダイオードＤ５，Ｄ６は、シールドケース４７とグランドとの導通状態を遮断すると共に、アンテナ４０ｂとグランドとの導通を遮断する。
【０１１０】
アンテナ４０ａは、シールドケース４７とグランドとの導通状態を遮断するときにモノポールアンテナを構成し、かつ、アンテナ４０ｂは、シールドケース４７とグランドとの導通状態を遮断するときにモノポールアンテナを構成する。
【０１１１】
このように携帯電話機１は、２つのアンテナ４０ａ，４０ｂを有していても、シールドケース４７によりクロック信号及びその高調波信号を遮断する／しないに応じて、これらのアンテナ４０ａ，４０ｂをそれぞれ逆Ｆアンテナ及びモノポールアンテナのいずれかに切り替える。このため、携帯電話機１は、カメラモジュール４６により輻射されるクロック信号及びその高調波信号に起因するアンテナ４０ａ，４０ｂのアンテナ感度の劣化を抑制しつつ、グランドに電気的に接続されたシールドケース４７に起因するアンテナ４０ａ，４０ｂのアンテナ特性の劣化が抑制される。
【０１１２】
図１１は、図９に示す等価回路の具体的な構成例について模式的に示す図である。図１１に示すように、携帯電話機１は、アンテナ４０と、シールドケース４７と、給電部５３と、回路部５４と、ダイオードＤ３，Ｄ４，Ｄ５，Ｄ６に相当するダイオード５７と、ＦＰＣ（Ｆｌｅｘｉｂｌｅ  Ｐｒｉｎｔｅｄ  Ｃｉｒｃｕｉｔｓ）５５と、ＦＰＣコネクタ５６と、タブ（Ｔａｐｅ  Ａｕｔｏｍａｔｅｄ  Ｂｏｎｄｉｎｇ、ＴＡＢ）５８と、マッチング回路５９と、基板７０とを有する。なお、シールドケース４７の内部にカメラモジュール４６などが配置されている。
【０１１３】
図１１に示すように、ＦＰＣ５５は、ＦＰＣコネクタ５６により基板７０と接続される。ＦＰＣ５５には、アンテナ４０と、ダイオード５７とが実装される。また、基板７０には、給電部５３と、回路部５４と、マッチング回路５９と、タブ５８とが実装される。そして、アンテナ４０と給電部５３（マッチング回路５９）とは、タブ５８を介して接続されている（図１１中の破線は、アンテナ４０とタブ５８との接続を示す）。
【０１１４】
このように携帯電話機１においては、ＦＰＣコネクタ５６を介することがなくアンテナ４０と給電部５３とが接続され、また、アンテナ４０と給電部５３との間の高周波信号ラインが、カメラモジュール４６の制御信号と近接することもないため、ノイズの影響を低減できる。
【０１１５】
また、ＦＰＣ５５に給電部５３が実装されるなどインピーダンス管理が必要な高周波信号ラインが、ＦＰＣ上に構成される場合には、インピーダンスを所望値に合わせるために、ＦＰＣ５５を２層以上で構成する必要があり、この場合、ＦＰＣ５５の屈曲性が悪化する。しかし、第３実施形態の携帯電話機１によれば、ＦＰＣを１層で構成できるため、製造コストを低減し、ＦＰＣ５５の屈曲性を維持することができる。
【０１１６】
以上、本発明の実施形態について説明したが、本発明は上述した実施形態に制限されるものではなく、適宜変更が可能である。例えば、上述した実施形態では、遮断部としてダイオードを用いて説明したが、本発明はこれに限定されず、例えば、バイポーラトランジスタスイッチやＦＥＴスイッチ等を遮断部として用いてもよい。
【０１１７】
また、上述した第１及び第２実施形態では、ダイオードを２つ用いた場合の構成について説明にしたが、本発明はこれに限定されず、ダイオードの数は１つであってもよく、３つ以上であってもよい。ダイオードが１つの場合は部品点数が減ることからコストが削減され、また配線なども簡略化可能となるため、基板やカメラモジュールなどの小型化が可能となる。一方、ダイオードの数が３つ以上である場合は、シールドケース４７をグランドへ導通させる場合に、３つ以上の箇所にて導通可能となることから、シールドケース４７によるクロック信号及びその高調波信号を遮蔽する効果が増大し、クロック信号及びその高調波信号に係るノイズの影響をより低減可能となる。
【０１１８】
また、上述した第２実施形態では、抵抗Ｒ１は、トランジスタスイッチＴｒ２側に配置されているため、シールドケース４７側（又はダイオードＤ１，Ｄ２側）には抵抗を配置していないが、本発明はこれに限定されず、シールドケース４７側（又はダイオードＤ１，Ｄ２側）のみ、又は双方に抵抗を配置してもよい。
【０１１９】
また、上述した実施形態では、クロック信号及びその高調波信号を輻射する電子部品としてカメラモジュール４６について説明したが、本発明はこれに限定されず、第１の周波数帯に対応する高周波信号を輻射する電子部品であれば、他の電子部品であってもよい。例えば、本発明を適用可能な高周波信号を輻射する電子部品としては、コプロセッサやＳｅｒＤｅｓ（ＳＥＲｉａｌｉｚｅｒ／ＤＥＳｅｒｉａｌｉｚｅｒ）等が挙げられる。
【０１２０】
また、上述した第３実施形態では、２つのアンテナ４０ａ，４０ｂを配置した場合について説明したが、本発明はこれに限定されず、３つ以上のアンテナを配置してもよい。また、上述した第３実施形態では、アンテナ４０ａ，４０ｂそれぞれに対応した給電部５３ａ，５３ｂにより別々に給電する構成としたが、回路部５４からの出力を分波してもよく、スイッチを用いて給電するアンテナを選択可能に構成してもよい。
【０１２１】
また、上述した実施形態において、携帯端末としての携帯電話機１について説明したが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【０１２２】
１  携帯電話機（携帯端末）
４０  アンテナ
４６  カメラモジュール（電子部品）
４７  シールドケース（ケース体）
４９  ＣＰＵ（検出部、制御部）
Ｄ１，Ｄ２  ダイオード（遮断部）
【図１】
0005442392.tif 000002
【図２】
0005442392.tif 000003
【図３】
0005442392.tif 000004
【図４】
0005442392.tif 000005
【図５】
0005442392.tif 000006
【図６】
0005442392.tif 000007
【図７】
0005442392.tif 000008
【図８】
0005442392.tif 000009
【図９】
0005442392.tif 000010
【図１０】
0005442392.tif 000011
【図１１】
0005442392.tif 000012